(57)【要約】【課題】  部品種を少なくして、コストダウンを図る。【解決手段】  複数の電線のうち任意の電線間を相互接続するためのジョイントコネクタにおいて、各電線に対応した複数のプレスフィット端子６０と、これらプレスフィット端子６０を収容するハウジング４０と、このハウジング内に設けられ、各プレスフィット端子６０のプレスフィット部６２Ａ、６２Ｂがスルーホール３１に圧入されることで任意のプレスフィット端子６０間を相互接続する基板３０Ａ、３０Ｂとを備え、ハウジング内に基板３０Ａ、３０Ｂを互いに間隔をおいて複数段に設け、プレスフィット端子６０に、長さ方向に間隔をおいて複数のプレスフィット部６０Ａ、６２Ｂを形成し、各プレスフィット部６２Ａ、６２Ｂを各段の基板３０Ａ、３０Ｂのスルーホール３１に圧入した。【選択図】      図１
2005322557.tif 000002
【特許請求の範囲】
【請求項１】
複数の電線のうち任意の電線間を相互接続するためのジョイントコネクタにおいて、
前記各電線に対応した複数の接続端子と、これら接続端子を収容するハウジングと、このハウジング内に設けられ、前記各接続端子のプレスフィット部がスルーホールに圧入されることで任意の接続端子間を相互接続する基板と、を備え、前記ハウジング内に前記基板を互いに間隔をおいて複数段に設け、前記接続端子に、長さ方向に間隔をおいて複数のプレスフィット部を形成し、各プレスフィット部を前記各段の基板のスルーホールに圧入したことを特徴とするジョイントコネクタ。
【請求項２】
請求項１に記載のジョイントコネクタであって、
前記ハウジングの底部に前記基板を配置し、前記ハウジングの前部を相手コネクタとの嵌合部として、その嵌合部に前記接続端子の端部を相手コネクタ側の接続端子との接触部として突出させたことを特徴とするジョイントコネクタ。
【請求項３】
複数の電線のうち任意の電線に対応した複数の接続端子と、これら接続端子を収容するハウジングと、このハウジング内に設けられ、前記各接続端子のプレスフィット部がスルーホールに圧入されることで任意の接続端子間を相互接続する基板と、を備え、前記ハウジング内に前記基板を互いに間隔をおいて複数段に設け、前記接続端子に、長さ方向に間隔をおいて複数のプレスフィット部を形成し、各プレスフィット部を前記各段の基板のスルーホールに圧入したジョイントコネクタの組立方法であって、
最初に前記ハウジング内に前記各段の基板を固定し、その後、前記接続端子をハウジング内に挿入して、各接続端子の複数のプレスフィット部を、対応する各段の基板のスルーホールに圧入させることを特徴とするジョイントコネクタの組立方法。
【請求項４】
複数の電線のうち任意の電線に対応した複数の接続端子と、これら接続端子を収容するハウジングと、このハウジング内に設けられ、前記各接続端子のプレスフィット部がスルーホールに圧入されることで任意の接続端子間を相互接続する基板と、を備え、前記ハウジング内に前記基板を互いに間隔をおいて複数段に設け、前記接続端子に、長さ方向に間隔をおいて複数のプレスフィット部を形成し、各プレスフィット部を前記各段の基板のスルーホールに圧入したジョイントコネクタの組立方法であって、
最初に前記ハウジング内に最下段の前記基板のみを固定し、その状態で、前記接続端子をハウジング内に挿入して、各接続端子の最下段のプレスフィット部を前記最下段の基板のスルーホールに圧入し、その後、最下段以外の前記基板をハウジング内に挿入して、各基板のスルーホールを、先に挿入してある接続端子の最下段以外のプレスフィット部に圧入させることを特徴とするジョイントコネクタの組立方法。
【発明の詳細な説明】
【技術分野】
【０００１】
本発明は、複数の電線のうち任意の電線間を相互接続するためのジョイントコネクタ及びその組立方法に関する。
【背景技術】
【０００２】
複数の電線間を相互接続するジョイントコネクタは、自動車等の電気系接続においてワイヤーハーネスの１つの幹線路から複数の分岐路を得る場合によく利用されている。
【０００３】
従来、この種のジョイントコネクタとして、ハウジングにブスバーを収容し、このブスバーに複数の端子を一体に形成して、これら端子に相手コネクタ側の端子を接続することで、相手コネクタ側の端子につながる任意の電線間をブスバーを介して相互接続するものが知られている（例えば、特許文献１、特許文献２参照）。
【０００４】
しかし、このようなブスバー式のジョイントコネクタは、特別に製作したブスバーを使用することから、構造が複雑化し、コスト高になるという問題がある。
【０００５】
そこで、プレスフィット端子を用いて回路接続することが考えられる。プレスフィット端子は、基板のスルーホールにプレスフィット部を圧入することで、端子と基板上の回路との電気接続を図るものである（例えば、特許文献３参照）
【特許文献１】特開平５−３６１９号公報
【特許文献２】特開平８−１７５３１号公報
【特許文献３】特開平７−１９２７９９号公報
【発明の開示】
【発明が解決しようとする課題】
【０００６】
図３はプレスフィット端子（接続端子）を使用したジョイントコネクタの先行例を示している。
【０００７】
図３において、電線が接続された相手オス側コネクタと接続されるメス側のコネクタは、オス端子としての複数のプレスフィット端子１０と、これらプレスフィット端子１０を所定の配列で保持する端子保持板２０と、ジョイント回路を形成した基板３０と、これら基板３０、端子保持板２０及びプレスフィット端子１０を収容するハウジング４０とから構成されている。
【０００８】
プレスフィット端子１０は、長さ方向の中間部に、端子保持板２０の圧入孔２１に圧入固定される固定部１１、一端側に、幅方向に収縮しながら基板３０のスルーホール３１に圧入されるプレスフィット部１２及び圧入時の案内部１３、他端側に、相手コネクタ側のメス端子に嵌合するピン部１４を有しており、端子保持板２０の圧入孔２１に固定部１１を圧入することで、端子保持板２０に所定の配列状態で保持されている。
【０００９】
そして、ハウジング４０内に、基板３０及びプレスフィット端子１０を保持した端子保持板２０を順に収容し、各プレスフィット端子１０のプレスフィット部１２を、基板３０のスルーホール３１にそれぞれ圧入することで、任意のプレスフィット端子１０間を相互接続したメス側のコネクタが構成されている。なお、ハウジング４０の底板４１には、プレスフィット端子１０の案内部１３を逃がすための凹所４１ａがある。
【００１０】
従って、図示しないオス側コネクタのハウジングとメス側のコネクタのハウジング４０とを嵌合することにより、プレスフィット端子１０及び基板２０上のジョイント回路を介して、任意の電線間を相互接続することができる。
【００１１】
ところで、このジョイントコネクタでは、多数のプレスフィット端子１０を所定の配列状態で保持するために特別な圧入孔２１を有した端子保持板２０を使用しているので、その分、部品種が多くなり、コストアップになっていた。
【００１２】
本発明は、上記事情を考慮し、部品種を少なくして、コストダウンを図れるようにしたジョイントコネクタ及びその組立方法を提供することを目的とする。
【課題を解決するための手段】
【００１３】
請求項１の発明は、複数の電線のうち任意の電線間を相互接続するためのジョイントコネクタにおいて、前記各電線に対応した複数の接続端子と、これら接続端子を収容するハウジングと、このハウジング内に設けられ、前記各接続端子のプレスフィット部がスルーホールに圧入されることで任意の接続端子間を相互接続する基板と、を備え、前記ハウジング内に前記基板を互いに間隔をおいて複数段に設け、前記接続端子に、長さ方向に間隔をおいて複数のプレスフィット部を形成し、各プレスフィット部を前記各段の基板のスルーホールに圧入したことを特徴とする。
【００１４】
請求項２の発明は、請求項１に記載のジョイントコネクタであって、前記ハウジングの底部に前記基板を配置し、前記ハウジングの前部を相手コネクタとの嵌合部として、その嵌合部に前記接続端子の端部を相手コネクタ側の接続端子との接触部として突出させたことを特徴とする。
【００１５】
請求項３の発明は、複数の電線のうち任意の電線に対応した複数の接続端子と、これら接続端子を収容するハウジングと、このハウジング内に設けられ、前記各接続端子のプレスフィット部がスルーホールに圧入されることで任意の接続端子間を相互接続する基板と、を備え、前記ハウジング内に前記基板を互いに間隔をおいて複数段に設け、前記接続端子に、長さ方向に間隔をおいて複数のプレスフィット部を形成し、各プレスフィット部を前記各段の基板のスルーホールに圧入したジョイントコネクタの組立方法であって、最初に前記ハウジング内に前記各段の基板を固定し、その後、前記接続端子をハウジング内に挿入して、各接続端子の複数のプレスフィット部を、対応する各段の基板のスルーホールに圧入させることを特徴とする。
【００１６】
請求項４の発明は、複数の電線のうち任意の電線に対応した複数の接続端子と、これら接続端子を収容するハウジングと、このハウジング内に設けられ、前記各接続端子のプレスフィット部がスルーホールに圧入されることで任意の接続端子間を相互接続する基板と、を備え、前記ハウジング内に前記基板を互いに間隔をおいて複数段に設け、前記接続端子に、長さ方向に間隔をおいて複数のプレスフィット部を形成し、各プレスフィット部を前記各段の基板のスルーホールに圧入したジョイントコネクタの組立方法であって、最初に前記ハウジング内に最下段の前記基板のみを固定し、その状態で、前記接続端子をハウジング内に挿入して、各接続端子の最下段のプレスフィット部を前記最下段の基板のスルーホールに圧入し、その後、最下段以外の前記基板をハウジング内に挿入して、各基板のスルーホールを、先に挿入してある接続端子の最下段以外のプレスフィット部に圧入させることを特徴とする。
【発明の効果】
【００１７】
請求項１の発明によれば、基板を互いに間隔をあけて複数段に配置し、各基板のスルーホールに接続端子のプレスフィット部を圧入することで、接続端子を保持するので、端子保持だけの目的の端子保持板を廃止することができる。また、同種の基板を用いることで、部品種の低減によるコストダウンが図れる上、接続構造の冗長性を持たせることができる。
【００１８】
請求項２の発明によれば、相手コネクタをハウジングに嵌合することで、コネクタ嵌合による電線間の相互接続を行うことができる。
【００１９】
請求項３の発明によれば、基板を全部先にハウジング内に挿入してから接続端子を圧入するので、組み付け工程の管理がやりやすい。
【００２０】
請求項４の発明によれば、先に１枚の基板をハウジングに挿入して接続端子を圧入してから、他の基板を接続端子に圧入させるので、特に基板が２枚の場合、各基板のスルーホールに１回だけしかプレスフィット部を挿入しないで済む。
【発明を実施するための最良の形態】
【００２１】
以下、本発明の各実施形態を図面に基づいて説明する。
【００２２】
図１は第１実施形態の組立方法で組み立てたジョイントコネクタを示し、（ａ）は分解斜視図、（ｂ）は組立状態の要部断面図である。
【００２３】
このジョイントコネクタは、複数の電線のうち任意の電線間を相互接続するためのもので、各電線に対応した複数のプレスフィット端子（接続端子）６０と、これらプレスフィット端子６０を収容するハウジング４０と、同種の２枚の基板３０Ａ、３０Ｂとを備えている。２枚の基板３０Ａ、３０Ｂは、ハウジング４０の内底部に、互いに間隔をおいて積層できるようになっている。
【００２４】
この場合のプレスフィット端子６０は、図３のもののように特別な固定部を有しておらず、一方の端部側に、長手方向に間隔をおいて設けた２段のプレスフィット部６２Ａ、６２Ｂを有している。その他は図３のものと変わらず、プレスフィット部６２Ａ、６２Ｂの更に先端側に案内部６３を有し、反対側の端部に相手のメス端子に嵌合するピン部６４を有している。
【００２５】
このジョイントコネクタを組み立てる場合は、最初にハウジング４０内の底部に２枚の基板３０Ａ、３０Ｂを挿入して固定する。次いで、プレスフィット端子６０をハウジング４０内に挿入して、各プレスフィット端子６０の２段のプレスフィット部６２Ａ、６２Ｂを、対応する各段の基板３０Ａ、３０Ｂのスルーホール３１に圧入させる。こうすることで、任意のプレスフィット端子６０間を相互接続することができる。このように構成したジョイントコネクタにおいて、ハウジング４０の前部は相手コネクタとの嵌合部となっており、その嵌合部にプレスフィット端子６０のピン部６４が、相手コネクタ側のメス端子との接触部として突出している。
【００２６】
従って、電線を接続した相手コネクタを、このハウジング４０に嵌合することで、任意の電線間をプレスフィット端子６０及び基板３０を介して相互接続することができる。
【００２７】
このジョイントコネクタの場合、基板３０Ａ、３０Ｂを互いに間隔をあけて２段に配置し、各基板３０Ａ、３０Ｂのスルーホール３１にプレスフィット端子６０のプレスフィット部６２Ａ、６２Ｂを圧入することで、プレスフィット端子６０を保持するので、先行例に示したような端子保持だけの目的の端子保持板を廃止することができる。また、同種の基板３０Ａ、３０Ｂを用いることで、部品種の低減によるコストダウンが図れる上、接続構造の冗長性を持たせることができる。
【００２８】
なお、図２に示す第２実施形態の組立方法のように、最初にハウジング４０内に最下段の基板３０Ａのみを固定し、その状態で、プレスフィット端子６０をハウジング４０内に挿入して、各プレスフィット端子６０の最下段のプレスフィット部６２Ａを最下段の基板３０Ａのスルーホール３１に圧入し、その後、最下段以外の基板３０Ｂをハウジング４０内に挿入して、その基板３０Ｂのスルーホール３１を先に挿入してあるプレスフィット端子６０の最下段以外のプレスフィット部６２Ｂに圧入させることもできる。
【００２９】
また、上記実施形態では、基板３０Ａ、３０Ｂを２段に設け、プレスフィット端子６０のプレスフィット部６２Ａ、６２Ｂも２段に設けた場合を示したが、より多段に設けてもよい。また、基板３０Ａ、３０Ｂ間の間隔は、プレスフィット端子６０の安定保持が可能な間隔に設定すれば、任意に設定可能である。
【図面の簡単な説明】
【００３０】
【図１】本発明の第１実施形態の組立方法で組み立てたジョイントコネクタを示し、（ａ）は分解斜視図、（ｂ）は組立状態の要部断面図である。
【図２】本発明の第２実施形態の組立方法の説明に使用する分解斜視図である。
【図３】先行例のジョイントコネクタの分解斜視図である。
【符号の説明】
【００３１】
１  電線
３０Ａ，３０Ｂ  基板
３１  スルーホール
４０  ハウジング
６０  プレスフィット端子（接続端子）
６２Ａ，６０Ｂ  プレスフィット部
【図１】
2005322557.tif 000003
【図２】
2005322557.tif 000004
【図３】
2005322557.tif 000005